(57)【要約】【課題】就寝前の人の深部体温を調節することで睡眠の質を向上できる空気調和機を提供する。【解決手段】ＣＰＵ１１０は、取り込んだ体表温度Ｔｂが閾温度Ｔｂｈ以下であるか否かを判断する。体表温度Ｔｂが閾温度Ｔｂｈ以下であれば、ＣＰＵ１１０は、現在の設定温度Ｔｐに加算温度Ｔαを加えた新たな設定温度Ｔｐを含む信号を室外機２に送信する。そして、新しい設定温度Ｔｐを含む信号を受信した室外機２は、圧縮機２１の回転数を設定温度Ｔｐの変化分、つまり、加算温度Ｔαに応じて変化させる。冷房運転の場合は、室外機２は加算温度Ｔαの分だけ圧縮機２１の回転数を低下させる。一方、暖房運転の場合は、室外機２は加算温度Ｔαの分だけ圧縮機２１の回転数を上昇させる。【選択図】図３
2019060561.tif 000002
【特許請求の範囲】
【請求項１】
室外機と、室内機と、同室内機が設置された部屋に存在する人の体表温度を検知する体表温度検知手段と、前記室外機および前記室内機を制御する制御手段を有し、
前記制御手段は、人の就寝時刻より所定時間前の時刻において、
前記体表温度検知手段で検知した体表温度が所定の閾温度より小さいときに、前記就寝時刻より所定時間前の時刻における設定温度に所定温度を加える、
ことを特徴とする空気調和機。
【請求項２】
前記室内機が設置された部屋の環境情報に関わる環境情報値を検知する環境情報値検知手段を有し、
前記制御手段は、設定温度に前記所定温度を加えて前記空気調和機を運転するとき、
前記環境情報値検知手段で検知した環境情報値が、前記就寝前空調制御を行う前に検知した環境情報値より高くなるように、前記室外機および前記室内機を制御する、
ことを特徴とする請求項１に記載の空気調和機。
【請求項３】
前記環境情報値は、前記室内機が設置された部屋の床の温度である、
ことを特徴とする請求項１または請求項２のいずれかに記載の空気調和機。
【請求項４】
前記室内機は、空調空気を吹き出す吹き出し口に回動可能に配置される風向板を有し、
前記制御手段は、
冷房運転時に行っているときは、人に空調空気が当たらないように前記風向板を回動させ、
暖房運転時に行っているときは、人に空調空気が当たるように前記風向板を回動させる、
ことを特徴とする請求項１乃至請求項３のいずれかに記載の空気調和機。
【請求項５】
前記室内機は、回転数可変の送風ファンを有し、
前記制御手段は、
冷房運転時に行っているときは、送風ファンの回転数を、前記就寝時刻より所定時間前の時刻における送風ファンの回転数よりも低くし、
暖房運転時に行っているときは、送風ファンの回転数を、前記就寝時刻より所定時間前の時刻における送風ファンの回転数よりも高くする、
ことを特徴とする請求項１乃至請求項４のいずれかに記載の空気調和機。
【発明の詳細な説明】
【技術分野】
【０００１】
本発明は、人の生体情報を用いて空調制御を行う空気調和機に関するものである。
【背景技術】
【０００２】
従来、人の体表温度や体動等の生体情報を検知し、検知した生体情報を人の就寝中の空調制御に活用する空気調和機が提案されている。例えば、特許文献１には、生体情報の１つである呼吸動作を検知しこれを用いて人の睡眠の深さを算出し、算出した人の睡眠の深さに基づいて就寝中の空調運転の設定温度を変更する空気調和機について記載されている。
【先行技術文献】
【特許文献】
【０００３】
【特許文献１】特開２０１２−２０２６５９号公報
【発明の概要】
【発明が解決しようとする課題】
【０００４】
ところで、人の体の深部の温度（以降、深部体温と記載する）は、朝から夕方にかけて高くなっていき、夜から朝にかけて低くなっていくというリズムで上下することが知られている。また、深部体温が低くなっていくときほど人は眠りやすく、特に、急速に深部体温が下がると眠りにつきやすく、かつ、深い眠りとなり、睡眠の質が向上することが知られている。
【０００５】
従って、人が良質な睡眠を得るためには、人が就寝する前の深部体温を高くすることで人の手足の血行を良くし体の表面から熱を放出しやすくして、就寝を開始する時に深部体温を急速に下げるようにすればよい。しかし、従来の空気調和機は、就寝中の空調制御については特許文献１に記載のものを含めて様々なものが提案されているが、就寝前の人の深部体温に着目しこれを調節することで睡眠の質を向上させるための空調制御について言及されているものはない。
【０００６】
本発明は以上述べた問題点を解決するものであって、就寝前の人の深部体温を調節することで睡眠の質を向上できる空気調和機を提供することを目的とする。
【課題を解決するための手段】
【０００７】
上記の課題を解決するために、本発明の空気調和機は、室外機と、室内機と、室内機が設置された部屋に存在する人の体表温度を検知する体表温度検知手段と、室外機および室内機を制御する制御手段を有する。そして、制御手段は、人の就寝時刻より所定時間前の時刻において、体表温度検知手段で検知した体表温度が所定の閾温度より小さいときに、就寝時刻より所定時間前の時刻における設定温度に所定温度を加える。
【発明の効果】
【０００８】
上記のように構成した本発明の空気調和機によれば、就寝前の人の深部体温を調節することができる。これにより、就寝を開始する時に急速に深部体温を下げることができ、人の睡眠の質を向上できる。
【図面の簡単な説明】
【０００９】
【図１】本発明の実施形態における、空気調和機の説明図であり、（Ａ）は冷媒回路図、（Ｂ）は室内機制御手段のブロック図である。
【図２】本発明の実施形態における室内機に関わる説明図であり、（Ａ）および（Ｂ）は室内機における上下風向板および輻射温度センサの配置を説明する図であり、（Ｃ）は室内機を設置した部屋を上面から見たときの輻射温度センサの走査範囲を示す図であり、（Ｄ）は上下風向板の動きを説明する図である。
【図３】本発明の実施形態における、室内機制御手段での処理の流れを示すフローチャートである。
【発明を実施するための形態】
【００１０】
以下、本発明の実施の形態を、添付図面に基づいて詳細に説明する。実施形態としては、室外機と室内機が２本の冷媒配管で接続された空気調和機を例に挙げて説明する。尚、本発明は以下の実施形態に限定されることはなく、本発明の主旨を逸脱しない範囲で種々変形することが可能である。
【実施例】
【００１１】
＜空気調和機の構成＞
図１（Ａ）に示すように、本実施形態における空気調和機１は、屋外に設置される室外機２と、室内に設置され室外機２に液管４およびガス管５で接続された室内機３を備えている。より詳細には、室外機２の閉鎖弁２５と室内機３の液管接続部３３が液管４で接続されている。また、室外機２の閉鎖弁２６と室内機３のガス管接続部３４がガス管５で接続されている。以上により、空気調和機１の冷媒回路１０が構成されている。
【００１２】
＜室外機の構成＞
まずは、室外機２について説明する。室外機２は、圧縮機２１と、四方弁２２と、室外熱交換器２３と、室外ファン２４と、液管４が接続された閉鎖弁２５と、ガス管５が接続された閉鎖弁２６と、膨張弁２７を備えている。そして、室外ファン２４を除くこれら各装置が、後述する各冷媒配管で相互に接続されて、冷媒回路１０の一部をなす室外機冷媒回路１０ａを構成している。
【００１３】
圧縮機２１は、図示しないインバータにより回転数が制御されることで、運転容量を変えることができる容量可変型圧縮機である。圧縮機２１の冷媒吐出側は、四方弁２２のポートａと吐出管６１で接続されている。また、圧縮機２１の冷媒吸入側は、四方弁２２のポートｃと吸入管６６で接続されている。
【００１４】
四方弁２２は、冷媒の流れる方向を切り換えるための弁であり、ａ、ｂ、ｃ、ｄの４つのポートを備えている。ポートａは、上述したように圧縮機２１の冷媒吐出側と吐出管６１で接続されている。ポートｂは、室外熱交換器２３の一方の冷媒出入口と冷媒配管６２で接続されている。ポートｃは、上述したように圧縮機２１の冷媒吸入側と吸入管６６で接続されている。そして、ポートｄは、閉鎖弁２６と室外機ガス管６４で接続されている。
【００１５】
室外熱交換器２３は、冷媒と、後述する室外ファン２４の回転により室外機２の内部に取り込まれた外気を熱交換させるものである。室外熱交換器２３の一方の冷媒出入口は、上述したように四方弁２２のポートｂと冷媒配管６２で接続され、他方の冷媒出入口は室外機液管６３で閉鎖弁２５と接続されている。
【００１６】
膨張弁２７は、例えば電子膨張弁であり、室外機液管６３に設けられている。膨張弁２７は、その開度が調整されることで、室内機３に流れる冷媒量を、室内機３で要求される冷房能力あるいは暖房能力に応じた量とする。
【００１７】
室外ファン２４は樹脂材で形成されており、室外熱交換器２３の近傍に配置されている。室外ファン２４は、図示しないファンモータによって回転することで室外機２の図示しない吸込口から室外機２の内部へ外気を取り込み、室外熱交換器２３において冷媒と熱交換した外気を室外機２の図示しない吹出口から室外機２の外部へ放出する。
【００１８】
以上説明した構成の他に、室外機２には各種のセンサが設けられている。吐出管６１には、圧縮機２１から吐出される冷媒の圧力を検知する高圧センサ７１と、圧縮機２１から吐出される冷媒の温度を検知する吐出温度センサ７３が設けられている。吸入管６６には、圧縮機２１に吸入される冷媒の圧力を検知する低圧センサ７２と、圧縮機２１に吸入される冷媒の温度を検知する吸入温度センサ７４とが設けられている。
【００１９】
室外機液管６３における室外熱交換器２３と膨張弁２７の間には、室外熱交換器２３から流出、または、室外熱交換器２３に流入する冷媒の温度を検知するための熱交温度センサ７５が設けられている。そして、室外機２の図示しない吸込口付近には、室外機２の内部に流入する外気の温度、すなわち外気温度を検知する外気温度センサ７６が備えられている。
【００２０】
＜室内機の構成＞
次に、図１および図２を用いて、室内機３について説明する。図１（Ａ）に示すように、室内機３は、室内熱交換器３１と、室内ファン３２と、液管４が接続された液管接続部３３と、ガス管５が接続されたガス管接続部３４と、室内機制御手段１００を備えている。そして、室内ファン３２および室内機制御手段１００を除くこれら各装置が以下で詳述する各冷媒配管で相互に接続されて、冷媒回路１０の一部をなす室内機冷媒回路１０ｂを構成している。
【００２１】
上述した室内機３を構成する各装置は、図２に示す筐体３０ａの内部に格納されている。筐体３０ａは樹脂材を用いて略直方体形状に形成されている。筐体３０ａは、図２（Ｃ）に示す筐体３０ａの天板３０ｆに設けられ筐体３０ａの内部に空気を取り込む吸込口３０ｅと、図２（Ａ）に示す筐体３０ａの前面板３０ｂの下方に設けられ筐体３０ａから外部に空気を吹き出す吹出口３０ｃを有する。そして、筐体３０ａの内部には、吸込口３０ｅから吹出口３０ｃへと向かう順に室内熱交換器２３、室内ファン２４が配置されている。この室内機３は、図２（Ｃ）に示す部屋２００（本発明の空調空間に相当）の壁面に据え付けられている。
【００２２】
室内熱交換器３１は、冷媒と、後述する室内ファン３２の回転により室内機３の吸込口３０ｅから室内機３の内部に取り込まれた室内空気を熱交換させるものである。図１（Ａ）に示すように、室内熱交換器３１の一方の冷媒出入口が液管接続部３３と室内機液管６７で接続され、他方の冷媒出入口がガス管接続部３４と室内機ガス管６８で接続されている。室内熱交換器３１は、室内機３が冷房運転を行う場合は蒸発器として機能し、室内機３が暖房運転を行う場合は凝縮器として機能する。尚、液管接続部３３やガス管接続部３４では、各冷媒配管が溶接やフレアナット等により接続されている。
【００２３】
室内ファン３２は樹脂材で形成されており、室内熱交換器３１の近傍に配置されている。室内ファン３１は、図示しないファンモータによって回転することで、室内機３の吸込口３０ｅから室内機３の筐体３０ａの内部に室内空気を取り込み、室内熱交換器３１において冷媒と熱交換した室内空気（以降、空調空気と記載する場合がある）を吹出口３０ｃから室内へ吹き出す。
【００２４】
図２（Ａ）、図２（Ｂ）および図２（Ｃ）に示すように、吹出口３０ｃには、吹出口３０ｃから吹き出される空気を上下に偏向する上下風向板３０ｄが設けられている。上下風向板３０ｄは、図２（Ｄ）に示す矢印Ｒｖのように回動するように吹出口３０ｃに取り付けられており、室内機３を取り付けている部屋２００の壁面に対して最小角度となる位置Ｒｖｍｉｎから、部屋２００の壁面に対して最大角度となる位置Ｒｖｍａｘの範囲で回動する。
【００２５】
また、図示は省略するが、吹出口３０ｃにおける上下風向板３０ｄより奥（筐体３０ａの内部側）には、吹出口３０ｃから吹き出される空気を左右に偏向するために左右に回動する左右風向板が設けられている。これら上下風向板３０ｄおよび左右風向板が、本発明の風向板である。
【００２６】
以上説明した構成の他に、室内機３には各種のセンサが設けられている。室内機液管６７には、室内熱交換器３１に流入あるいは室内熱交換器３１から流出する冷媒の温度を検知する液側温度センサ７７が設けられている。室内機ガス管６８には、室内熱交換器３１から流出あるいは室内熱交換器３１に流入する冷媒の温度を検知するガス側温度センサ７８が設けられている。また、図２（Ａ）乃至（Ｃ）に示すように、室内機３の吸込口３０ｅの近傍には、室内機３の内部に流入する室内空気の温度、すなわち室温を検知する吸込温度センサ７９が備えられている。尚、室温が本発明の環境情報値に相当し、吸込温度センサ７９が本発明の環境情報値検知手段に相当する。
【００２７】
そして、図２（Ａ）乃至図２（Ｃ）に示すように、室内機３の筐体３０ａの前面板３０ｂにおける吹出口３０ｃの横には、輻射温度センサ８０が配置されている。輻射温度センサ８０は、四角形の基板８４とこの基板８４に実装された赤外線吸収部８１および周囲温度センサ８２を有する。基板８４は、室内機３の筐体３０ａの内部に格納されている図示しないステッピングモータのモータ軸８３に固定されており、ステッピングモータにより輻射温度センサ８０が左右に回動することで、図２（Ｃ）に示すように、室内機３が設置された部屋２００を視野角度Ｒｗ（例えば、１２０°）で走査する。これにより、部屋２００の走査範囲３００に存在する人から放射される赤外線を検知する。
【００２８】
赤外線吸収部８１は、例えば赤外線アレイセンサであり、部屋２００の走査範囲３００に存在する人の体表面から放射された赤外線を吸収する。周囲温度センサ８２は、例えばサーミスタであり、輻射温度センサ８０の周囲温度を検知する。また、図示は省略するが、基板８４には熱電対が実装されており、熱電対の一方の端部が赤外線吸収部８１の近傍に配置されて温接点部となり、熱電対の他方の端部が周囲温度センサ８２の近傍に配置されて冷接点部となる。
【００２９】
赤外線吸収部８１で赤外線を吸収することによって、赤外線吸収部８１の近傍に配置されている温接点部の温度が上昇し、温接点部と冷接点部の間に熱電対の働きによる電位差が発生する。一方、輻射温度センサ８０の周囲温度センサ８２は、輻射温度センサ８０の周囲温度を検知する。発生した電位差が温度差に換算され、取り込んだ周囲温度に電位差から換算した温度差が加えられることで、人の体表温度が検知される。
【００３０】
また、室内機３には、室内機制御手段１００が備えられている。室内機制御手段１００は、室内機３の筐体３０ａの内部に配置されている図示しない電装品箱に格納されている制御基板に搭載されている。図１（Ｂ）に示すように、室内機制御手段１００は、ＣＰＵ１１０と、記憶部１２０と、通信部１３０と、センサ入力部１４０を備えている。
【００３１】
記憶部１２０は、ＲＯＭやＲＡＭで構成されており、室内機３の制御プログラムや各種センサからの検知信号に対応した検知値、室内ファン３２の制御状態等を記憶している。通信部１３０は、室外機２の図示しない室外機制御部との通信を行うためのインターフェイスである。センサ入力部１４０は、室内機３の各種センサでの検知結果を取り込んでＣＰＵ１１０に出力する。
【００３２】
ＣＰＵ１１０は、前述した室内機３の各センサでの検知結果を、センサ入力部１４０を介して取り込む。また、ＣＰＵ１１０は、室外機２や図示しないリモコンから送信される制御に関わる信号を、通信部１３０を介して取り込む。また、ＣＰＵ１１０は、取り込んだ検知結果や制御信号に基づいて、室内ファン３２や上下風向板３０ｄなどの駆動制御を行う。
【００３３】
＜空気調和機の動作＞
次に、本実施形態の空気調和機１が空調運転を行うときの、冷媒回路１０における冷媒の流れや各部の動作について図１（Ａ）を用いて説明する。尚、以下の説明では、まず冷房運転を行う場合について説明し、次に暖房運転を行う場合について説明する。尚、図１（Ａ）において、実線矢印は冷房運転時の冷媒の流れを示し、破線矢印は暖房運転時の冷媒の流れを示している。
【００３４】
＜冷房運転＞
冷房運転を行う場合、図１（Ａ）に示すように、四方弁２２が実線で示す状態、すなわち、四方弁２２のポートａとポートｂが連通するよう、また、ポートｃとポートｄが連通するよう、切り換えられる。これにより、冷媒回路１０を実線矢印で示す方向に冷媒が循環し、室外熱交換器２３が凝縮器として機能するとともに室内熱交換器３１が蒸発器として機能する。
【００３５】
圧縮機２１から吐出された高圧の冷媒は、吐出管６１を流れて四方弁２２に流入し、四方弁２２から冷媒配管６２を流れて室外熱交換器２３に流入する。室外熱交換器２３に流入した冷媒は、室外ファン２４の回転により室外機２の内部に取り込まれた外気と熱交換を行って凝縮する。室外熱交換器２３から室外機液管６３に流出した冷媒は膨張弁２７を通過する際に減圧され、閉鎖弁２５を介して液管４に流入する。
【００３６】
液管４を流れて液側接続部３３を介して室内機３に流入した冷媒は、室内機液管６７を流れて室内熱交換器３１に流入し、室内ファン３２の回転により室内機３の内部に取り込まれた室内空気と熱交換を行って蒸発する。このように、室内熱交換器３１が蒸発器として機能し、室内熱交換器３１で冷媒と熱交換を行った空調空気が吹出口３０ｃから吹き出されることによって、室内機３が設置された部屋２００の冷房が行われる。
【００３７】
室内熱交換器３１から流出した冷媒は室内機ガス管６８を流れ、ガス側接続部３４を介してガス管５に流入する。ガス管５を流れて閉鎖弁２６を介して室外機２に流入した冷媒は、順に室外機ガス管６４、四方弁２２、吸入管６６を流れ、圧縮機２１に吸入されて再び圧縮される。
【００３８】
＜暖房運転＞
暖房運転を行う場合、図１（Ａ）に示すように、四方弁２２が破線で示す状態、すなわち、四方弁２２のポートａとポートｄが連通するよう、また、ポートｂとポートｃが連通するよう、切り換えられる。これにより、冷媒回路１０を破線矢印で示す方向に冷媒が循環し、室外熱交換器２３が蒸発器として機能するとともに室内熱交換器３１が凝縮器として機能する。
【００３９】
圧縮機２１から吐出された高圧の冷媒は、吐出管６１を流れて四方弁２２に流入し、四方弁２２から室外機ガス管６４を流れ、閉鎖弁２６を介してガス管５に流入する。ガス管５を流れる冷媒は、ガス管接続部３４を介して室内機３に流入する。
【００４０】
室内機３に流入した冷媒は、室内機ガス管６８を流れて室内熱交換器３１に流入し、室内ファン３２の回転により室内機３内部に取り込まれた室内空気と熱交換を行って凝縮する。このように、室内熱交換器３１が凝縮器として機能し、室内熱交換器３１で冷媒と熱交換を行った空調空気が吹出口３０ｃから室内に吹き出されることによって、室内機３が設置された部屋２００の暖房が行われる。
【００４１】
室内熱交換器３１から流出した冷媒は室内機液管６７を流れ、液管接続部３３を介して液管４に流入する。液管４を流れて閉鎖弁２５を介して室外機２に流入した冷媒は、室外機液管６３を流れて膨張弁２７を通過する際に減圧される。
【００４２】
膨張弁２７を通過して室外熱交換器２３に流入した冷媒は、室外ファン２４の回転により室外機２の内部に取り込まれた外気と熱交換を行って蒸発する。室外熱交換器２３から冷媒配管６２に流出した冷媒は、四方弁２２、吸入管６６を流れ、圧縮機２１に吸入されて再び圧縮される。
【００４３】
＜輻射温度センサの検知結果を用いた就寝前空調制御＞
次に、図３を用いて、本実施形態の空気調和機１が輻射温度センサ８０の検知結果を用いて、人が就寝する前に行われる就寝前空調制御に関わる処理について説明する。この就寝前空調制御は、人の手足の血行を良くし、就寝を開始する時に体表面から熱を放出しやすくして深部体温を下げるために行われる制御である。
【００４４】
図３において、ＳＴは処理のステップを表し、これに続く数字はステップ番号を表している。尚、図３では、本発明に関わる処理を中心に説明しており、これ以外の処理、例えば、主に室外機２が行う冷媒回路１０の圧力や温度に関わる制御といった空気調和機１の一般的な制御に関わる処理については説明を省略する。
【００４５】
尚、以下の説明では、空調運転時の室温の目標温度となる設定温度をＴｐ（単位：℃）、就寝前空調制御において設定温度Ｔｐに加算される加算温度をＴα（単位：℃）、輻射温度センサ８０で検知する人の体表温度をＴｂ（単位：℃）、就寝前空調制御における体表温度Ｔｂの閾温度をＴｂｈ（単位：℃）とする。また、室内機制御手段１００のＣＰＵ１１０が、タイマー計測機能を有するものとして説明する。
【００４６】
まず、ＣＰＵ１１０は、空気調和機１の空調運転中に人が「就寝前」であることを検知したか否かを判断する（ＳＴ１）。ＣＰＵ１１０は、例えば、以下に説明する方法で人が「就寝前」であることを検知する。
【００４７】
（１）おやすみ運転の開始時刻が使用者により設定されており、おやすみ運転開始時刻を就寝時刻としたときに、使用者が図示しないリモコンを操作して就寝時刻より前の時刻に就寝前空調制御を指示したことをＣＰＵ１１０が検知する。尚、おやすみ運転とは、設定温度を通常の空調運転時と異なる温度とする、空調空気を人に向って吹き出さないようにする、風量を弱くして空調空気の吹き出し音を小さくする、等、人の就寝に適した空調運転を行うものである。
（２）上記（１）の就寝時刻より所定時間前の時刻になったことをＣＰＵ１１０が検知する。ここで、所定時間は、空気調和機１の出荷時に室内機３の記憶部１２０に予め記憶されている、あるいは、人がリモコンを操作して予め定めている時間であり、例えば、１時間である。
（３）ＣＰＵ１１０が使用者の一定期間内（例えば、１か月間）の操作履歴、例えば、一定期間内の上記おやすみ運転の開始時刻を用いて人の就寝時刻を類推し、類推した就寝時刻より上記所定時間前の時刻になったことをＣＰＵ１１０が検知する。ここで、就寝時刻の類推は、例えば、平日／祝祭日に分けて類推すればよい。
【００４８】
「就寝前」であることを検知しない場合は（ＳＴ１−Ｎｏ）、ＣＰＵ１１０は、ＳＴ１に処理を戻す。「就寝前」であることを検知した場合は（ＳＴ１−Ｙｅｓ）、ＣＰＵ１１０は、輻射温度センサ８０で検知した人の体表温度Ｔｂを、センサ入力部１４０を介して取り込む（ＳＴ２）。尚、ＣＰＵ１１０は、体表温度Ｔｂを定期的（例えば、３０秒毎）に取り込み、取り込んだ体表温度Ｔｂを記憶部１２０に上書きして記憶する。
【００４９】
次に、ＣＰＵ１１０は、ＳＴ２で取り込んだ体表温度Ｔｂが閾温度Ｔｂｈ以下であるか否かを判断する（ＳＴ３）。ここで閾温度Ｔｂｈは、予め定められて記憶部１２０に記憶されているものであり、体表温度Ｔｂがこの閾温度Ｔｂｈ以下であれば人が寒いと感じている、つまり、人の体表面からの放熱量が多くて深部体温が低くなっている恐れがある温度である。尚、閾温度Ｔｂｈが本発明の生体情報値の閾値に相当し、例えば３０℃である。
【００５０】
体表温度Ｔｂが閾温度Ｔｂｈ以下でなければ（ＳＴ３−Ｎｏ）、ＣＰＵ１１０は、ＳＴ５に処理を進める。体表温度Ｔｂが閾温度Ｔｂｈ以下であれば（ＳＴ３−Ｙｅｓ）、ＣＰＵ１１０は、現在の設定温度Ｔｐに加算温度Ｔαを加える（ＳＴ４）。上述したように、体表温度Ｔｂが閾温度Ｔｂｈ以下であれば人が寒いと感じている、つまり、人の体表面からの放熱量が多くて深部体温が低くなっているということなので、冷房運転あるいは暖房運転に関わらず、設定温度Ｔｐを上昇させて人の深部体温を上昇させる。尚、設定温度Ｔｐは、人が変更すれば、あるいは、上記閾温度Ｔｂｈが加算されれば、新しい設定温度Ｔｐが記憶部１２０に上書き記憶される。また、加算温度Ｔαは予め定められて記憶部１２０に記憶されているものであり、例えば、１℃である。
【００５１】
次に、ＣＰＵ１１０は、現在の運転が冷房運転であるか否かを判断する（ＳＴ５）。現在の運転が冷房運転であれば（ＳＴ５−Ｙｅｓ）、ＣＰＵ１１０は、上下風向板３０ｄの位置を図２（Ｄ）に示すＲｖｍａｘとして（ＳＴ６）、ＳＴ７に処理を進める。
【００５２】
冷房運転時に吹出口３０ｃから吹き出された冷たい空調空気が直接人に当たると、人の体表温度Ｔｂが低下して人の深部体温も低下する恐れがある。特に、ＳＴ３〜ＳＴ４の処理で人の深部体温を上げるために設定温度Ｔｐを加算温度Ｔαだけ上昇させたときに冷たい空調空気が直接人に当たると、その効果が低減する。そこで、冷房運転時に就寝前空調制御を行っているときは、上下風向板３０ｄの位置をＲｖｍａｘとし、吹出口３０ｃから空調空気を略水平に吹き出して、人に冷たい空調空気が当たらないようにする。
【００５３】
ＳＴ５において、現在の運転が冷房運転でなければ（ＳＴ５−Ｙｅｓ）、つまり、現在の運転が暖房運転であれば、ＣＰＵ１１０は、上下風向板３０ｄの位置を図２（Ｄ）に示すＲｖｍｉｎとして（ＳＴ８）、ＳＴ７に処理を進める。
【００５４】
暖房運転時に吹出口３０ｃから吹き出された暖かい空調空気は、部屋２００の上方に上昇して滞留する。このため、部屋２００における人の周囲の温度や部屋２００の床の温度が部屋２００の上方と比べて低くなっている恐れがあり、人の周囲の温度が低いことや人が冷たい床に接していることで人の体表温度Ｔｂが低下して人の深部体温が低下する恐れがある。また、ＳＴ３〜ＳＴ４の処理で人の深部体温を上げるために設定温度Ｔｐを加算温度Ｔαだけ上昇させたときに暖かい空調空気が部屋２００の上方に滞留すると、その効果が低減する。そこで、暖房運転時に就寝前空調制御を行っているときは、上下風向板３０ｄの位置をＲｖｍｉｎとする、つまり、吹出口３０ｃから空調空気を室内機３の略真下に吹き出して、暖かい空調空気を人の周囲に届け、また、部屋２００の床を暖める。
【００５５】
尚、ＣＰＵ１１０は、室外機２に対して、現在の設定温度Ｔｐに加算温度Ｔαを加えた新しい設定温度Ｔｐに応じた圧縮機２１の回転数とするよう要求する信号を、通信部１３０を介して送信する。具体的には、記憶部１２０に、設定温度Ｔｐと室温の温度差に応じて要求する圧縮機２１の回転数を定めた図示しないテーブルが冷房運転／暖房運転毎に予め記憶されており、ＣＰＵ１１０は、このテーブルを用いて設定温度Ｔｐと室温の温度差に応じた圧縮機２１の回転数を抽出しこれを要求する信号を、通信部１３０を介して送信する。この信号を受信した室外機２は、圧縮機２１の回転数を設定温度Ｔｐの変化分、つまり、加算温度Ｔαに応じて変化させる。冷房運転の場合は、室外機２は加算温度Ｔαの分だけ圧縮機２１の回転数を低下させる。一方、暖房運転の場合は、室外機２は加算温度Ｔαの分だけ圧縮機２１の回転数を上昇させる。
【００５６】
ＳＴ６あるいはＳＴ８の処理を終えたＣＰＵ１１０は、現在の時刻が人の就寝時刻であるか否かを判断する（ＳＴ７）。尚、就寝時刻は、ＳＴ１において「就寝前」の検知が人の操作によるものである場合は、この人の操作があった時刻から所定時間後（例えば、１時間後）の時刻が就寝時刻となる。また、「就寝前」の検知がおやすみ運転の開始時刻からの逆算によるものである場合は、おやすみ運転の開始時刻が就寝時刻となる。さらには、「就寝前」の検知が操作履歴を用いた人の就寝時刻の類推に基づいたものである場合は、類推した時刻が就寝時刻となる。
【００５７】
現在の時刻が就寝時刻でなければ（ＳＴ７−Ｎｏ）、ＣＰＵ１１０は、ＳＴ７に処理を戻し、就寝時刻となるまで現在の条件（ＳＴ２〜ＳＴ６もしくはＳＴ８で決定した条件）で空調運転を継続する。現在の時刻が就寝時刻であれば（ＳＴ７−Ｙｅｓ）、ＣＰＵ１１０は、就寝前空調制御を終了する。尚、就寝前空調制御を終了した後は、別途設定されるおやすみ運転等の就寝時の空調制御が行われるが、就寝時の空調制御は従来提案されている制御でよく、詳細な説明は省略する。
【００５８】
以上説明した就寝前空調制御では、上下風向板３０ｄの位置をＲｖｍａｘあるいはＲｖｍｉｎのいずれかとする場合を説明したが、輻射温度センサ８０で部屋２００における人の位置を特定し、暖房運転を行っている場合は、特定した人の位置に向けて空調空気が吹き出されるように上下風向板３０ｄの位置を調整してもよい。あるいは、冷房運転を行っている場合は、特定した人の位置に向けて空調空気が吹き出されないように上下風向板３０ｄの位置を調整してもよい。
【００５９】
また、ＳＴ７の処理で現在の時刻が就寝時刻でない（ＳＴ７−Ｎｏ）場合に、ＳＴ７に処理を戻し、就寝時刻となるまで現在の条件で空調運転を継続することを説明した。これに代えて、ＳＴ７の処理で現在の時刻が就寝時刻でない（ＳＴ７−Ｎｏ）場合に、ＳＴ２まで処理を戻してもよい。このように処理を行うことで、最初にＳＴ４で設定温度Ｔｐを加算温度Ｔαだけ高くしたにも関わらず人の体表温度Ｔｂが閾温度Ｔｂｈ以下であっても、再びＳＴ４の処理を行って設定温度Ｔｐをさらに加算温度Ｔαだけ高くできるので、体表温度Ｔｂを上昇させて深部体温を上昇できる。ただし、上記のように設定温度Ｔｐを複数回上昇させる場合は、設定温度Ｔｐが空気調和機１で定められている上限値（例えば、冷房運転時、暖房運転時ともに３０℃）に到達すれば、以降は就寝時間まで設定温度Ｔｐこの上限値に維持して空調運転を継続する。
【００６０】
以上説明したように、本発明の空気調和機１は、人が就寝する前に就寝前空調制御を実行することによって、人の手足の血行を良くして就寝時に体の表面から熱を放出しやすくする。これにより、就寝を開始する時に人の深部体温が急速に下がって、人が睡眠の質を向上できる。
【００６１】
尚、以上説明した実施形態では、就寝前空調制御の実行時に設定温度Ｔｐの調整に加えて上下風向板３０ｃによる風向の調整も行う場合を説明した。しかし、これに限るものではなく、就寝前空調制御の実行時に設定温度Ｔｐの調整のみとしてもよい。また、風向の調整の際には、上下風向板３０ｃに加えて図示しない左右風向板も回動させてもよい。上下風向板３０ｃに加えて左右風向板も回動させることで、より確実に人に空調空気を当てる、あるいは、当てないようにでき、人の深部体温をより効果的に上げることができる。
【００６２】
また、設定温度Ｔｐの調整と上下風向板３０ｃによる風向の調整に加えて、室内ファン３２の回転数を調整することで吹出口３０ｃから吹き出される空調空気の風量を調整してもよい。具体的には、冷房運転時に就寝前空調制御を行う場合は、風量を通常の冷房運転時より少なくし、より確実に人に冷たい空調空気を当てないようにすることで、人の深部体温をより効果的に上げることができる。また、暖房運転時に就寝前空調制御を行う場合は、風量を通常の暖房運転時より多くすることで、人の周囲や部屋２００の床に多くの暖かい空調空気を届けて、人の深部体温をより効果的に上げることができる。
【００６３】
また、以上説明した実施形態では、就寝前空調制御の実行時に設定温度Ｔｐを調整する場合を説明したが、設定温度Ｔｐに代えて、部屋２００の壁面温度や床温度を輻射温度センサ８０で検知し、これら検知した壁面温度や床温度が就寝前空調制御の実行前に検知した各温度より上昇するように、圧縮機２１の回転数などを制御してもよい。この場合、輻射温度センサ８０が本発明の生体情報値検知手段と環境情報値検知手段を兼ねることとなる。また、輻射温度センサ８０で検知する部屋２００の壁面温度や床温度が、本発明の環境情報値に相当する。
【００６４】
上記のように、部屋２００の壁面温度や床温度を上昇させる場合は、上下風向板３０ｄあるいは左右風向板を回動させて、冷房運転の場合は部屋２００の壁面や床に空調空気が直接当たらないようにし、また、暖房運転の場合は部屋２００の壁面や床に空調空気が直接当たるようにする。これにより、部屋２００の室温も含め部屋２００全体の温度が上昇するので、人の体表温度Ｔｂが上昇して人の深部体温をより効果的に上げることができる。
【符号の説明】
【００６５】
１  空気調和機
２  室外機
３  室内機
１０  冷媒回路
３０ｃ  吹出口
３０ｄ  上下風向板
３２  室内ファン
８０  輻射温度センサ
１００  室内機制御手段
１１０  ＣＰＵ
１２０  記憶部
１３０  通信部
１４０  センサ入力部
２００  部屋
Ｔｂ  体表温度
Ｔｂｈ  閾温度
Ｔｐ  設定温度
Ｔα  加算温度
Ｔｂ  人の体表温度
【図１】
2019060561.tif 000003
【図２】
2019060561.tif 000004
【図３】
2019060561.tif 000005